(57)【特許請求の範囲】
【請求項１】
遊技盤の上下方向に沿って延長し、前記遊技盤の前側において遊技球を下方に誘導し、進入した遊技球の全てを検出するセンサを有する共通通路と、当該共通通路と連通し、前記センサにより検出された遊技球を前記遊技盤の前側において下方に誘導する外れ通路と、前記共通通路と連通し、前記外れ通路と前記遊技盤を挟んで前後方向に分かれて並設され、前記センサにより検出された遊技球を前記遊技盤の後側において下方に誘導する特定通路とを有する通路本体部と、
前記通路本体部内において前記遊技盤の遊技領域から前記通路本体部内に取り込まれ、前記センサにより検出された遊技球を前後動作により前記外れ通路及び前記特定通路のうちいずれかの通路に振り分ける振り分け体と、
前記特定通路内に設けられ、前記振り分け体により振り分けられた遊技球の落下経路上に位置し、当該遊技球を検出するセンサを有する特定領域と、
を有する役物構造体。
【請求項２】
請求項１に記載された役物構造体を有し、前記特定領域を遊技球が通過したことに基づいて大当り遊技を開始するパチンコ機であって、
前記通路本体部への遊技球の進入を閉鎖状態において阻止し、開放状態において許容する羽根部材と、
前記遊技盤における役物構造体側に設けられ、主制御装置によって実行される前記羽根部材の開放抽選実行の契機となる遊技球を取り込むサイド始動入賞部品とを備え、
前記サイド始動入賞部品が前後動作により遊技領域内の遊技球を遊技盤の裏側に誘導する誘導片を有することを特徴とするパチンコ機。
【請求項３】
前記振り分け体と前記誘導片とが同一構成であることを特徴とする請求項２記載のパチンコ機。
【発明の詳細な説明】
【技術分野】
【０００１】
本発明は、遊技機の役物構造に関し、特に役物構造に関する部品点数の削減、及び、遊技盤における省スペース化を図ることが可能な遊技盤の役物構造に関する。
【背景技術】
【０００２】
近年、遊技機の一例としてのパチンコ遊技機（以下、パチンコ機という）においては、遊技盤の遊技領域内に打ち出された遊技球（以下、球という）が所定の始動入賞口に取り込まれることにより所定の確率に基づく抽選を実行し、抽選の結果を示す図柄が所定の形態で揃うことを条件として大当り遊技を実行する第一種パチンコ機と、遊技盤の遊技領域内に役物と呼ばれる入賞構造体を設け、遊技盤の遊技領域内に打ち出された球が役物内に開設された特定領域（Ｖ入賞領域）内に取り込まれることにより大当り遊技を実行する第二種パチンコ機とを混合したいわゆる一種二種混合機と呼ばれるパチンコ機の提案がなされている。
【０００３】
特許文献１に示すように、一種二種混合機と呼ばれるパチンコ機は、遊技盤の略中央部に始動入賞口を配設し、当該始動入賞口への入賞を契機として抽選を実行し、当該抽選の結果を７セグＬＥＤ、ＣＲＴ、ＬＣＤ等の表示器に表示させ、これらの表示器に表示された形態が予め規定された所定の形態であるときに所謂大当り遊技を実行する。
また、抽選の結果が大当りである場合、例えば３分の１の確率で大当り遊技後の遊技状態を切り替える抽選が同時に行われ、抽選の結果によって大当り遊技後の遊技状態が切り替わる。
上記抽選の結果、大当り遊技後に遊技状態が切り替わった場合、遊技者は遊技盤の右半部に設けられた役物構造体を狙って大当り遊技を獲得することが可能となる。遊技盤の右半部に設けられた役物構造体は、概略、遊技盤の左右方向に開閉自在に軸着された羽根部材と、遊技盤の上下左右方向に延長し、羽根部材が開放状態となった時に遊技領域内から取り込まれた球を誘導する球通路と、左右方向に延長する球通路の終端に設けられる特定入賞領域を含む複数の領域と、左右方向に誘導される球の進路を特定入賞領域又は他の領域に振り分ける振り分け体とから構成され、羽根部材によって取り込まれた球が特定入賞領域内に取り込まれたことを契機として大当り遊技を実行する構成である。つまり、特許文献１に係る一種二種混合機は、球を遊技盤の左半部に打ち出すことにより大当り遊技を獲得する遊技と、球を遊技盤の右半部に打ち出すことにより大当り遊技を獲得する遊技とを両方楽しめるパチンコ機である。
【０００４】
しかしながら、上記特許文献１に係るパチンコ機は、右半部に設けられた役物構造体が遊技盤の上下方向及び左右方向に渡って延長するＬ字状として形成され、特に特定入賞領域を含む左右方向に延長する部分がステージの右半部を占有しているため、ステージの幅が制限されることとなる。このような役物構造体によるステージの占有は、ステージ設計の自由度に制限を加えることに他ならず、ひいては左半部に打ち出された球のステージ上における転動のバリエーションを乏しくさせ、遊技者の遊技意欲を減退させる結果を招く。
また、機械的要素を多分に含む役物構造体が遊技盤上の広範な範囲に渡ると、盤面の殴打或いは磁石等を用いたいわゆるゴト行為対策に必要な検証工数及び対応部品が増大するため、生産効率及び生産コストに悪影響を与える。
【先行技術文献】
【特許文献】
【０００５】
【特許文献１】特開２０１０−１３１０３８号公報
【発明の概要】
【発明が解決しようとする課題】
【０００６】
そこで、本発明は上記課題を解決すべく、ステージ設計の自由度を担保することにより、遊技者の遊技意欲が減退することを確実に防止し、さらに、ゴト行為対策に必要な検証工数及び対応部品を増大させることのない役物構造体を提供することを目的とする。
【課題を解決するための手段】
【０００７】
上記課題を解決するため、本発明に係る第一の構成として、遊技盤の上下方向に沿って延長し、遊技盤の前側において遊技球を下方に誘導し、進入した遊技球の全てを検出するセンサを有する共通通路と、当該共通通路と連通し、センサにより検出された遊技球を遊技盤の前側において下方に誘導する外れ通路と、共通通路と連通し、外れ通路と遊技盤を挟んで前後方向に分かれて並設され、センサにより検出された遊技球を遊技盤の後側において下方に誘導する特定通路とを有する通路本体部と、通路本体部内において遊技盤の遊技領域から通路本体部内に取り込まれ、センサにより検出された遊技球を前後動作により外れ通路及び特定通路のうちいずれかの通路に振り分ける振り分け体と、特定通路内に設けられ、振り分け体により振り分けられた遊技球の落下経路上に位置し、当該遊技球を検出するセンサを有する特定領域とを有する役物構造体とした。
本構成によれば、遊技盤の上下方向に沿って延長する通路本体部が、遊技盤の前側において遊技球を下方に誘導し、進入した遊技球の全てを検出するセンサを有する共通通路と、当該共通通路と連通し、センサにより検出された遊技球を遊技盤の前側において下方に誘導する外れ通路と、共通通路と連通し、外れ通路と遊技盤を挟んで前後方向に分かれて並設され、センサにより検出された遊技球を遊技盤の後側において下方に誘導する特定通路とを有し、振り分け体が通路本体部内に取り込まれた遊技球を前後動作により外れ通路及び特定通路のいずれかの通路に振り分けることから、遊技球の振り分け方向が遊技盤の前後方向（奥行き方向）となり、役物構造体の左右方向の幅を縮小化することが可能となる。
また、特定領域が遊技球の落下経路上に位置することにより、遊技球を遊技盤の左右方向或いはステージ上に誘導する必要がなく、役物構造体の左右方向の幅を縮小化することが可能となる。つまり、上記構成によりステージ設計の自由度を担保することができる。
さらに、遊技盤の前後方向に並設される外れ通路及び特定通路と、遊技球を前後動作により当該複数の球通路のいずれかの通路に振り分ける振り分け体と、当該振り分け体により振り分けられた遊技球の落下経路上に位置する特定領域とが遊技盤の上下方向に沿って延長する通路本体部に集約化されて設けられていることにより、ゴト行為対策に必要な検証工数及びゴト行為対策に必要な対応部品を削減することが可能となる。
また、本発明に係る第二の構成として、上記役物構造体を有し、特定領域を遊技球が通過したことに基づいて大当り遊技を開始するパチンコ機であって、通路本体部への遊技球の進入を閉鎖状態において阻止し、開放状態において許容する羽根部材と、遊技盤における役物構造体側に設けられ、主制御装置によって実行される羽根部材の開放抽選実行の契機となる遊技球を取り込むサイド始動入賞部品とを備え、サイド始動入賞部品が前後動作により遊技領域内の遊技球を遊技盤の裏側に誘導する誘導片を有する構成とした。
本構成によれば、前記構成と同様の効果を奏するパチンコ機を得ることができる。
また、本発明に係る第三の構成として、振り分け体と誘導片とを同一構成とした。
本構成によれば、役物構造体内の振り分け体とサイド始動入賞部品の誘導片とが同一の構成であるため、部品の共通化を図ることが可能となり、パチンコ機の部品点数を削減し、生産効率及び経済性を向上させることが可能となる。
なお、上記発明の概要は、本発明の必要な特徴の全てを列挙したものではなく、特徴群を構成する個々の構成もまた発明となり得る。
【発明の効果】
【０００８】
上記構成に係る役物構造体によれば、遊技者の遊技意欲が減退することを防止でき、生産効率及び生産コストに悪影響を与えることがない。
【図面の簡単な説明】
【０００９】
【図１】パチンコ機１０の概略正面図。
【図２】役物構造体３０の斜視図。
【図３】サイド始動入賞部品４０の分解斜視図。
【図４】サイド始動入賞部品４０のＡ−Ａ断面図。
【図５】役物構造体３０及びサイド始動入賞部品４０の透視図。
【図６】通路本体部３０Ｂの縦断面図。
【図７】パチンコ機１０の概略ブロック図。
【発明を実施するための形態】
【００１０】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１１】
図１は、遊技機の一例としてのパチンコ機１０の全体正面図である。同図を用いてパチンコ機１０の概略について説明する。なお、本明細書において上下左右方向とは、図１における矢印で表される方向をいうものとする。
パチンコ機１０は、遊技球（以下、球という）が打ち出される遊技領域１１Ａを有し、内枠１２に対して着脱自在に取り付けられる遊技盤１１と、内枠１２を前後方向に開閉自在に軸支する外枠１３とを備える。遊技盤１１の前方には、内枠１２の前後方向に開閉自在に軸支される窓１２Ａが設けられ、遊技盤１１の前方が閉鎖される。
また、パチンコ機１０の下方には発射ハンドル１４が回動自在に取着され、発射ハンドル１４が遊技者の操作によって回動操作されることにより、図外の打ち出し機構１０２Ｂが駆動する。打ち出し機構１０２Ｂが駆動すると、上皿構造体１６内に貯留された球が上方に打ち出され、外ガイドレール１８と内ガイドレール１７とで囲繞された遊技領域１１Ａ内に進入する。
【００１２】
遊技盤１１の中央部には、前後方向に開口する取り付け孔１９を介して装着される図外のＬＣＤ，ＣＲＴ，或いは、回転ドラム式等の図柄表示装置が装着される。
取り付け孔１９の周囲には、取り付け孔１９を取り囲むように前方に突出する盤面飾り２０が遊技盤１１に対して複数のベースプレート２３を介して固定手段により固着される。盤面飾り２０における一方の傾斜部２０Ａは、左側に向かって下方に傾斜する部分であって、窓１２Ａが閉鎖された状態において当該傾斜部２０Ａよりも前方を球が通過することはなく、球は傾斜部２０Ａに沿って遊技盤１１の左側（以下、左側領域という）に誘導される。
傾斜部２０Ａと連接して延長する垂直部２０Ｂには、破線で示す球が通過可能なワープ通路が開設され、当該ワープ通路に取り込まれた球は、取り付け孔１９の下方において左右方向に延在するステージ２２上に導出される。ステージ２２上に導出された球は、ステージ２２上を左右方向に転動する過程において下方に落下するか、或いはステージ２２の中央部に開設された導出口２２Ａに取り込まれて下方に落下する。
傾斜部２０Ａと連接して傾斜する他方の傾斜部２０Ｃは、右側に向かって下方に傾斜する部分であって、窓１２Ａが閉鎖された状態において当該傾斜部２０Ｃよりも前方を球が通過することはなく、球は傾斜部２０Ｃに沿って遊技盤１１の右側（以下、右側領域という）に誘導される。傾斜部２０Ｃと連接して延長する障壁部２０Ｄは、内側に向かって弓なりに窪む壁面と当該壁面から遊技盤１１の右側に延在するスロープとを有する障壁であって、傾斜部２０Ｃから落下した球は、球の軌道によって当該障壁部２０Ｄに沿って落下するか、障壁部２０Ｄに接触することなく落下する。
【００１３】
障壁部２０Ｄよりも下方には、本願発明に係る役物構造体３０が配置される。右側領域において上方から落下した球は、役物構造体３０の入賞口３１の近傍に設けられた羽根部材６０の開放動作に伴って入賞口３１を経由して当該役物構造体３０内に取り込まれるか、取り込まれずに下方に落下する。なお、役物構造体３０及び羽根部材６０の構造については後述する。また、役物構造体３０よりも下方には、サイド始動入賞部品４０（第二の始動入賞部品）及び大入賞部品２５がそれぞれ配設される。
【００１４】
以下、図７に示す制御ブロックを参照し、遊技領域１１Ａ内に打ち出された球の経路に沿って、遊技盤１１に配設される複数の入賞部品の詳細及び機能について説明する。
遊技盤１１の遊技領域１１Ａ内に進入した球は、打ち出しの強さによって左側領域又は右側領域を流下する。左側領域を流下する球は、流下する過程において、遊技領域１１Ａ内に植設された図外の多数の遊技釘や風車或いはステージ２２によって誘導され、遊技盤１１の略中央に設けられた中央始動入賞部品２９（第一の始動入賞部品）、遊技盤１１の下部側方に設けられた複数の一般入賞部品２１に取り込まれ得る。また、中央始動入賞部品２９又は一般入賞部品２１に取り込まれなかった球は、遊技盤１１の中央最下部に開設されたアウト口２７に取り込まれて回収される。
【００１５】
球が一般入賞部品２１に取り込まれた場合、一般入賞部品２１内に取着された検出センサーからの信号に基づいて、主制御装置１００により払出制御基板１０２を介して賞球払出装置１０２Ａが駆動され、前述の上皿構造体１６に賞球としての球を払出す賞球払出処理が実行される。この場合の賞球数は例えば１０個に設定される。
ここで、主制御装置１００は、各入賞部品に設けられた検出信号に基づいて遊技全般の制御処理を実行する装置であって、ＣＰＵ，ＲＯＭ，ＲＡＭ等のハードウェアが搭載される。主制御装置１００と入力側に設けられた各入賞部品とは、入力中継基板を介して接続される。また、払出制御基板１０２は、打ち出し機構１０２Ｂ及びＣＲユニット１０２Ｃと接続され、主制御装置１００からの出力に基づいて打ち出し機構１０２Ｂ及びＣＲユニット１０２Ｃを駆動する。なお、ＣＲユニット１０２Ｃは、遊技者に対して貸し球を払出す装置であって、パチンコ機１０に設けられた図外の貸し出しスイッチや返却スイッチと電気的に接続されている。
【００１６】
球が中央始動入賞部品２９に取り込まれた場合、中央始動入賞部品２９内に取着された検出センサーからの信号に基づいて主制御装置１００により前記同様の賞球払出処理と、所定の確率による大当り抽選処理が実行される。大当り抽選処理の結果「大当り」となる確率は、例えば３６０分の１として予め設定される。
主制御装置１００は、大当り抽選処理の結果に基づいてサブ制御装置１０１に対して演出制御コマンドを送出し、図柄表示装置に表示される演出用図柄の変動を開始させるとともに、所定時間経過後に大当り抽選処理の結果を報知する態様で演出用図柄を停止させる図柄変動処理を実行する。
【００１７】
サブ制御装置１０１は、主制御装置１００と同様のハードウェアが搭載された装置であって、主制御装置１００から出力される演出コマンドに基づいて、図柄表示装置１０１Ａ、各種のＬＥＤ・ランプ１０１Ｂ及びスピーカ１０１Ｃを個別に制御する。なお、図示は省略するが、サブ制御装置１０１と上記各装置１０１Ａ乃至１０１Ｃとは互いに中継回路を介して接続される。
上記図柄変動処理により変動、停止する演出用図柄は、大当り抽選処理の結果が「大当り」である場合に例えば「７，７，７」のように同一数字や特定のキャラクターを模した図柄が直線状に配列された形態で停止し、大当り抽選処理の結果が「大当り」以外の「外れ」である場合には、「１，３，５」のような互いに異なる数字やキャラクターを模した図柄が配列された形態で停止する。
【００１８】
主制御装置１００による大当り抽選の結果が「大当り」であり、かつ、停止後の演出用図柄の態様が「大当り」であることを示す態様で停止した場合、大当り遊技開始処理が実行される。本実施形態において、大当り遊技は右側領域に設けられた大入賞部品２５が開放されることにより実行される。
大入賞部品２５は、遊技盤１１の前方に開口する図外の矩形の入賞口と、当該入賞口の前方を閉塞し、前後方向に開閉自在な開閉体２５Ａとから構成され、当該開閉体２５Ａが遊技盤１１の背面に装着される大入賞ソレノイド２６の駆動によって前方に開放状態となることにより、遊技盤１１の右側を流下する球を上方から入賞口内部に取り込むことが可能である。また、入賞口内部には、入賞口に取り込まれた球を検出する検出センサーが設けられ、主制御装置１００は、当該センサーからの検出信号に基づいて賞球としての球を例えば１５個払出す。大当り遊技は、例えば検出センサーによる１０回の検出又は開閉体２５Ａの開放から所定時間が経過するまでを１ラウンドとして、当該ラウンドが例えば１５回繰り返され、遊技者は短時間に多くの球の払出を受けることができる。
【００１９】
大当り終了後には、大当り遊技後の特典である「時短遊技」（開放時間延長機能）の有無についての判定が行われ、「時短遊技」有りと判定された場合、以後の遊技は、特典が付与されていない「通常遊技」の場合と比べ、球を遊技盤１１の右側に向かって打ち出す方が大当りを獲得し易くなる。また、「通常遊技」中において獲得した大当り遊技後に遊技状態が「通常遊技」から「時短遊技」となる確率は、例えば２分の１や３分の１程度に設定される。なお、遊技状態は、主制御装置１００のＲＡＭ内に記憶される時短フラグのＯＮ，ＯＦＦにより管理される。
以下、遊技盤１１の右側に設けられる各遊技部品の構成と併せて「時短遊技」について詳説する。
【００２０】
遊技盤１１における傾斜部２０Ａ及び傾斜部２０Ｃとの連接部を基点とする右側領域には、球の流下方向に沿って普通図柄始動部品２８、役物構造体３０、羽根部材６０、サイド始動入賞部品４０及び前述の大入賞部品２５が設けられる。
【００２１】
普通図柄始動部品２８は、スルーチャッカーと呼ばれる上下開口の門型の通過孔であって、主制御装置１００は、普通図柄始動部品２８内に内挿された検出センサーからの出力信号に基づいて所定の確率によるサイド始動入賞部品４０の開放抽選処理、及び、普通図柄表示装置２４に表示される図柄を変動させる普通図柄変動処理を実行する。
【００２２】
普通図柄変動処理は、遊技盤１１の側部に設けられた図外のＬＥＤランプや７セグメントにより構成される普通図柄表示装置２４を駆動し、所定時間経過後に開放抽選処理によって得られた結果に応じた態様で停止させる処理である。例えば、開放抽選処理の結果が「当り」である場合には、７セグメント上に「７・７」といった同一数字を停止させることや、ＬＥＤランプを「○」の位置で停止させることにより開放抽選処理の結果が「当り」であることを報知する。一方、開放抽選処理の結果が「外れ」である場合には、７セグメント上に「７・３」といった異なる数字を停止させることや、ＬＥＤランプを「×」の位置で停止させることにより開放抽選処理の結果が「外れ」であることを報知する。
また、サイド始動入賞部品４０の開放抽選処理の結果「当り」となる確率は、遊技状態に関わらず例えば１０分の９程度に設定され、抽選結果が「当り」であることに基づき、普通図柄表示装置２４が「当り」の態様で停止した後、サイド始動入賞部品４０のサイド入賞ソレノイド７０が駆動する。
【００２３】
以下、図１乃至図５を用いてサイド始動入賞部品４０について説明する。
図２は、役物構造体３０の周辺を示す斜視図、図３は、サイド始動入賞部品４０の分解斜視図、図４は、図１におけるサイド始動入賞部品４０のＡ−Ａ断面図である。図５は、役物構造体３０及びサイド始動入賞部品４０を正面から見た透視図である。
図３に示すように、サイド始動入賞部品４０は、前側からベース体４０Ａとベース体４０Ａ内に挿通されるガイド部材４０Ｂと、ガイド部材４０Ｂを後方から覆う裏ベース体４０Ｃと、裏ベース体４０Ｃの後方に取り付けられるソレノイドブラケット４０Ｄ及びサイド入賞ソレノイド７０とから構成される。
【００２４】
ベース体４０Ａは、合成樹脂により一体成型される部材であって、遊技盤１１に開設された嵌め込み孔１１Ｂに対して前側から嵌め込まれる。
ベース体４０Ａは、嵌め込み孔１１Ｂに嵌め込まれた状態において、遊技盤１１の表面と接するベースプレート４１と、遊技盤１１の後方に延長する筒状部４５とを有する。
図２に示すように、ベースプレート４１は、役物構造体３０から側方に張り出すベースプレート２３の薄肉部２３Ａ上に重なるように位置決めされたのち、ベースプレート４１に形成されたネジ穴４１Ａに止めネジを螺入することにより、遊技盤１１の表面に対して役物構造体３０と、サイド始動入賞部品４０とが互いに近接した状態で固定される（図１参照）。このように本例においては、役物構造体３０とサイド始動入賞部品４０とを互いに近接して配置することにより盤面配置上の省スペース化を図るとともに、役物構造体３０とサイド始動入賞部品４０とを分離可能に独立して配置することにより、メンテナンスの容易化を図っている。
【００２５】
ベースプレート４１は、遊技盤１１の前方に開口する凸状の球取り込み口４２を有する。球取り込み口４２は、ベースプレート４１の略中央部に開口する孔であって、筒状部４５内部に開設された球通路４６と連通する。つまり、球取り込み口４２は、球通路４６の入口となる開口であって、球は、当該球取り込み口４２から取り込まれて、球通路４６に沿って後方に向かって転動する。なお、球の経路の詳細については後述する。
ベースプレート４１には、前飾り４３が取り付けられる。前飾り４３は、球取り込み口４２の位置と対応するようにベースプレート４１の前方に取り付けられる略扇状の部材である。具体的には、前飾り４３の裏面から後方に突出する凸部４３Ａが、ベースプレート４１の表面から前側に突出する一対のボス部に形成された凹部４４に対して嵌め込まれることにより、ベースプレート４１の表面と少なくとも球一個の直径分よりも離間し、球二個の直径分より狭い間隔で取り付けられる。
よって、ベースプレート４１の表面と、前飾り４３との間には球一個のみが通過可能であり、当該ベースプレート４１と前飾り４３との間を通過する球のみが、球取り込み口４２から取り込まれ得る。前飾り４３の前面には、後方に窪む面として形成された取り付け面４３Ｂを介して、例えば図１に示す熊の顔を模した意匠盤が取り付けられる。
【００２６】
ベースプレート４１と一体に成型される筒状部４５は、内部に前述の球通路４６を有する後方開口の中空部材である。球通路４６は、後方に向かって漸次下傾斜する傾斜面４７を有し、内部に取り込まれた球は傾斜面４７に沿って後方に誘導され、検出センサーにより検出される。筒状部４５における球通路４６よりも下部には、後方に開口するセンサー挿入孔４８が設けられる。そして、検出センサーは、当該センサー挿入孔４８に対して後方から挿入され、球が通過可能な検出孔側を取り囲む後述の裏ベース体４０Ｃのセンサー保持部７７に囲まれることにより保持される。
【００２７】
筒状部４５の内部空間には、ガイド部材４０Ｂが取り付けられる。図３に示すように、ガイド部材４０Ｂは、球通路４６内を前後方向に進退可能なガイド片（誘導片）５０と、当該ガイド片５０を回転動作により進退動作させるクランク５５と、ガイド片５０よりも上方に設けられ、後述のサイド入賞ソレノイド７０の伸縮動作に伴って、前後方向に進退動作する取り込み阻止片５８とを備える。
【００２８】
ガイド片５０は、筒状部４５の内部空間の大きさに対応して前後方向に延長する矩形の板体であって、傾斜面として形成された先端部５１と、先端部５１から後方に向かって延在する枠部５２とからなる。先端部５１は、前後方向中心部から前方に向かって下傾斜する前側面５１Ａと、前後方向中心部から後方に向かって下傾斜する後側面５１Ｂとを有する。
枠部５２は、先端部５１の左右端部から後方に向かって延長する額縁状部材である。枠部５２は、先端部５１の左右端部から互いに対向して立ち上がる一対の左右壁５２Ａと、左右壁５２Ａの後端において左右壁５２Ａ同士を接続する後壁５２Ｂとからなり、先端部５１によって取り込まれた球を一対の左右壁５２Ａの内側面により案内しつつ後方に誘導する。また、一対の左右壁５２Ａの外側面は筒状部４５の内部空間を形成する側壁と摺接するガイド面５３が形成される。また、一対の左右壁５２Ａは、内側方向に窪む凹部５４を有し、当該凹部５４に対してクランク５５のアーム部５７の先端部に形成された凸部５７Ａが回転自在に嵌め込まれる。
【００２９】
クランク５５は、左右方向に延在する棒状の軸部５６と、当該軸部５６の両端より下方に延在する一対のアーム部５７とを有するコの字状であって、一対のアーム部５７がガイド片５０を左右方向に跨ぐように取り付けられる。アーム部５７は、外側方向に突出する凸部５７Ｂを有し、当該凸部５７Ｂは、筒状部４５の側壁に形成された一対の凹部４９により支承される。
そして、後述のサイド入賞ソレノイド７０の伸縮動作により、軸部５６が前後方向に移動すると、アーム部５７が凸部５７Ｂを回転中心として回転し、アーム部５７の凸部５７Ａによって支持されるガイド片５０が前後方向に進退動作する。
【００３０】
取り込み阻止片５８は、ガイド片５０の枠部５２と平行に前後方向に延在する板部５８Ａと、係止部５９とからなる。板部５８Ａは、前述の球取り込み口４２の上段の幅方向の寸法と略同一寸法に形成された矩形状であり、前端中央部には、前方に突出する凸部５８Ｂが形成される。
係止部５９は、板部５８Ａの後端部から上方に立ち上がる接続板５９Ａと係止板５９Ｂとから構成され、軸部５６を跨ぐＬ字状である。
図４に示すように、係止板５９Ｂの下面には、溝部が形成され、当該溝部によりサイド入賞ソレノイド７０のプランジャ７１の先端に取り付けられた係止板７１Ａが係止される。
以下、特に図４の断面図を参照して、サイド入賞ソレノイド７０の動作に基づくガイド片５０及び取り込み阻止片５８の動作、及び、球の経路について詳説する。
【００３１】
図４（ａ）は、サイド入賞ソレノイド７０が非通電状態の時のガイド片５０及び取り込み阻止片５８の位置関係を示す。同図に示すように、サイド入賞ソレノイド７０が非通電状態である場合、サイド入賞ソレノイド７０から延長するプランジャ７１は、係止板７１Ａとケーシング７２との間に介挿された附勢バネ７３の附勢により伸長状態（ストローク量０）に維持され、取り込み阻止片５８の板部５８Ａは、前方に押し込まれた状態となる。
そして、板部５８Ａが前方に押し込まれた状態において、板部５８Ａの凸部５８Ｂの上面は、球取り込み口４２の上縁と接し、かつ、凸部５８Ｂの前端面は、ベースプレート４１の表と面一の状態となる。この状態において、球取り込み口４２の上下方向の寸法Ｌは、図４（ｂ）に示すサイド入賞ソレノイド７０が通電状態の場合と比較して、凸部５８Ｂの厚さ分だけ短くなり、前方を通過する球が球取り込み口４２に取り込まれることはない。
つまり、取り込み阻止片５８は、凸部５８Ｂによって、球取り込み口４２の寸法Ｌを球一個の直径分よりも狭くすることにより、球が球取り込み口４２に取り込まれることを阻止する部材である。
また、サイド入賞ソレノイド７０が非通電状態である場合、取り込み阻止片５８の下方に位置するガイド片５０は、球通路４６内に収容された状態となり、ガイド片５０により球取り込み口４２に取り込まれることはない。
【００３２】
一方、サイド入賞ソレノイド７０が図４（ｂ）に示す通電状態（励磁状態）となると、プランジャ７１が附勢バネ７３に抗して後方に引き込まれ（収縮状態）、取り込み阻止片５８の板部５８Ａも後方に引き込まれた状態となる。
そして、板部５８Ａが後方に引き込まれた状態において、クランク５５の軸部５６は接続板５９Ａの裏面により後方に押し込まれる。また、クランク５５の軸部５６が後方に押し込まれることにより、アーム部５７が凸部５７Ｂを中心として前方に傾動動作し、アーム部５７の凸部５７Ａによって支持されるガイド片５０が前方に向かって押し込まれる。
ガイド片５０が前方に向かって押し込まれると、ガイド片５０の先端部５１は、球取り込み口４２よりも前側に突出し、球取り込み口４２から前飾り４３との間に先端部５１が橋渡しされた状態となる。
【００３３】
この状態において、球取り込み口４２の上下方向の寸法Ｌは、板部５８Ａが後方に引き込まれたことにより、球が通過するのに十分な長さが確保される。
また、ガイド片５０の先端部５１が球取り込み口４２よりも前方に突出することにより、ベースプレート４１の前方を通過する球は、先端部５１の後側面５１Ｂに沿って後方に向かって取り込まれる。なお、先端部５１の前側面５１Ａを前方に向かって下傾斜する傾斜面としたのは、球の通過タイミングによって、先端部５１が完全に突出していない状態で球が取り込まれることを防ぐためである。
【００３４】
図３に戻り、裏ベース体４０Ｃ、ソレノイドブラケット４０Ｄについて説明する。
裏ベース体４０Ｃは、後方開口の筒状部４５を有するベース体４０Ａを後方から覆うように取り付けられる。裏ベース体４０Ｃは、筒状部４５の上面に開設された係合部４５Ａに係止される係止爪７９を有し、当該係止爪７９を係合部４５Ａに係合した状態で図外の止めネジを螺入することによりベース体４０Ａと一体化される。
裏ベース体４０Ｃは、内部空間を上下方向に仕切る仕切り板７４を有し、当該仕切り板７４によりサイド入賞ソレノイド７０を収容するソレノイド収容部７５、及び、ソレノイド収容部７５の下方に位置するガイド片収容部７６が形成される。サイド入賞ソレノイド７０の収容方法としては、ソレノイド収容部７５の前側からサイド入賞ソレノイド７０を後方に挿入することにより行われる。
ガイド片収容部７６の下方には、前述のセンサー保持部７７が形成される。センサー保持部７７は、矩形の検出センサーの検出孔側を取り囲む形状であって、円形状の検出孔と対応するように後方に窪む形状である。上記構成からなる裏ベース体４０Ｃをベース体４０Ａと一体化した場合、ガイド片収容部７６内にガイド片５０の後部が収容され、センサー保持部７７内に検出センサーの後部（検出孔側）が収容される。
【００３５】
ソレノイドブラケット４０Ｄは、裏ベース体４０Ｃのソレノイド収容部７５の後方を覆うように裏ベース体４０Ｃに対して固定され、ソレノイド収容部７５から後方に露出するサイド入賞ソレノイド７０の後部を保持する。また、ソレノイドブラケット４０Ｄには、図外の係止部を介して電飾基板７８が装着され、当該電飾基板７８を介してサイド入賞ソレノイド７０及び主制御装置１００が電気的に通電される。
【００３６】
主制御装置１００は、サイド始動入賞部品４０の開放抽選処理の結果が「当り」であることに基づいてサイド入賞ソレノイド７０を通電状態とし、取り込み阻止片５８を後方に退避させる一方、ガイド片５０の先端部５１を突出した状態とする。先端部５１により、球通路４６内に取り込まれた球は、枠部５２の延長方向に沿って遊技盤１１の後方へと案内され、検出センサーにより検出された後に遊技盤１１の裏面に装着されたセット板８０の内部に形成された球通路８０Ａを通って機外に排出される。
なお、セット板８０とは、例えばアクリル樹脂により成型された浅い箱状体であって、遊技盤１１の背面を覆うように付設されることにより、遊技盤１１に配設された各入賞部品全体をカバーしている。セット板８０は、各入賞部品から取り込まれた球を機外に排出する複数の球通路を有し、図５に示すようにサイド始動入賞部品４０に取り込まれた球は球通路８０Ａにより誘導され、役物構造体３０により取り込まれた球は、球通路８０Ｂ又は球通路８０Ｃにより個別に誘導される。
【００３７】
ここで、遊技状態が「通常遊技」である場合、ガイド片５０による球の受け入れ動作（突出動作）は、例えば０．０８８秒間継続し、当該動作が１回で終了する。一方、遊技状態が「時短遊技」（開放時間延長機能作動中）である場合、ガイド片５０による球の受け入れ動作は、例えば１．７秒間継続し、当該動作が間欠的に３回繰り返された後に終了する。
【００３８】
つまり、「通常遊技」中においてサイド始動入賞部品４０の開放抽選処理の結果が「当り」となった場合であっても、ガイド片５０による球の受け入れ動作が極めて短時間で終了することから、「通常遊技」中に球を右側領域に打ち出しても球がサイド始動入賞部品４０に取り込まれる可能性は極めて低い。一方、「時短遊技」中においてサイド始動入賞部品４０の開放抽選処理の結果が「当り」となった場合、ガイド片５０による球の受け入れ動作が長時間継続し、かつ、複数回繰り返される（ガイド片５０による開放時間の延長機能が実行される）ことから「時短遊技」中に球を右側領域に打ち出せば、球がサイド始動入賞部品４０に取り込まれる可能性が極めて高くなる。
よって、遊技者にとっては遊技状態が「通常遊技」である場合には、球を傾斜部２０Ａ及び傾斜部２０Ｃとの連接部よりも左側の領域（以下、左側領域という）に打ち出す方が大当りを獲得し易く、「時短遊技」である場合には、右側領域に打ち出す方が大当りを獲得し易い。
なお、ガイド片５０の受け入れ動作中に球が検出センサーにより検出されたことに基づいて、即ち、サイド始動入賞部品４０内に球が取り込まれた場合、主制御装置１００が、受け入れ動作継続時間（１．７秒）経過前に、サイド入賞ソレノイド７０への通電を直ちに停止する制御を実行し、サイド始動入賞部品４０内に連続して球が進入することを防止するようにしてもよい。
以下、右側領域に打ち出す遊技における大当り獲得までの動作を説明する。
【００３９】
ガイド片５０による球の受け入れ動作により、球がサイド始動入賞部品４０内に取り込まれると、主制御装置１００は、検出センサーからの出力信号に基づき、所定の確率による羽根部材６０の開放抽選処理を実行する。開放抽選処理の結果「当り」となる確率は、遊技状態に関わらず例えば１．００２５分の１程度に設定され、抽選結果が「当り」であることに基づき役物構造体３０の入賞口３１近傍に設けられた羽根部材６０が閉鎖状態から開放状態に変位し、遊技盤１１の右側領域に存在する球を入賞口３１を経由して役物構造体３０内に受け入れ可能な状態となる。
【００４０】
図５，図６に示すように、羽根部材６０は、中央部に挿通される複数の軸体によって保持される円筒状の基部６１と、基部６１の半径方向外側に延長する羽根部６２とからなる。
図６に示すように、基部６１に挿通される軸体は、羽根ソレノイド６３と遊技盤１１の裏面に配設された羽根ソレノイド６３とリンク機構を介して接続される回動軸６３Ａと基部６１の回転中心軸６３Ｂとからなり、羽根ソレノイド６３の直動動作に伴って回動軸６３Ａが所定の範囲の角度で回転することにより、基部６１が回転中心軸６３Ｂを中心として回転し、羽根部６２が閉鎖状態又は開放状態の２つの形態を取り得る。
【００４１】
具体的には、羽根部６２は、基部６１の回転動作によって、破線で示す閉鎖状態又は実線で示す開放状態の２つの形態を取り、閉鎖状態において略垂直方向に延長する。羽根部６２が閉鎖状態となった場合において、羽根部６２の先端面は、上方に位置する障壁６４と球１個分の直径より小さい間隔で近接する。よって、羽根部６２が閉鎖状態のとき、球が入賞口３１に取り込まれることはなく、役物構造体３０への進入は阻止される。一方、羽根部６２が開放状態のとき、球が羽根部６２の傾斜面に沿って入賞口３１の方向に転動し、入賞口３１を通過して役物構造体３０の内部に進入することができる。なお、障壁６４と羽根部６２との距離を調整し、進入を限りなく困難な構成としてもよい。
【００４２】
以下、図２，図５及び図６を参照して役物構造体３０について説明する。
同図において役物構造体３０は、上下方向略中央部に開設された入賞口３１よりも上方に延長する障壁部３０Ａと、入賞口３１と連通して下方に延長する通路本体部３０Ｂとから構成される。障壁部３０Ａは、ベースプレート２３よりも前方に立ち上がる壁部３２を有する中空体であって、障壁部３０Ａよりも前側を球が通過することはできない。
壁部３２の下端部には、矩形状の入賞口３１が開設される。入賞口３１は、側方に開口する球の取り込み口であって、羽根部材６０によって、遊技盤１１の内側方向に誘導された球を取り込む。そして、当該入賞口３１から取り込まれた球は、通路本体部３０Ｂ内に形成された複数の球通路によって誘導される。
【００４３】
通路本体部３０Ｂは、入賞口３１を基点として下方に延長する内部空間を有する中空体であって、図５に示すように、入賞口３１から取り込まれた球を遊技盤１１よりも前側において後述の振り分け体５０Ａまで誘導する共通通路部３５と、振り分け体５０Ａにより共通通路部３５から取り込まれた球を遊技盤１１の裏側へと誘導する前後通路部３６と、前後通路部３６を経由して遊技盤１１の裏側へと誘導された球を下方に誘導する特定通路部３７と、振り分け体５０Ａによって遊技盤１１の裏側に振り分けられることなく、共通通路部３５を落下した球を遊技盤１１よりも前側において下方に誘導する外れ通路部３８とを有する。以下、各通路部の詳細について説明する。
【００４４】
図５，図６に示すように、共通通路部３５は、入賞口３１から振り分け体５０Ａまで至る球通路であって、通路本体部３０Ｂの外形に沿って湾曲して上下方向に延長する。
また、共通通路部３５は、入賞口３１の直下に検出センサーを有し、当該検出センサーにより役物構造体３０内に進入した全ての球が検出される。主制御装置１００は、当該検出センサーからの検出信号に基づき、例えば球を３個払出す前述の賞球払出処理を実行する。
【００４５】
図５に示すように前後通路部３６は、共通通路部３５及び特定通路部３７と連通し、遊技盤１１を貫いて前後方向に延長する通路であって、遊技盤１１に開設された嵌め込み孔１１Ｂ内に挿入される筒状部３６Ａ内に形成される。
筒状部３６Ａは、遊技盤１１の後方に向かって突出する部位であって、ベースプレート２３と連続して形成される。そして、役物構造体３０を遊技盤１１に取り付ける際には、筒状部３６Ａを遊技盤１１に開設された嵌め込み孔１１Ｂに挿入して位置決めした後に、ベースプレート２３に開設された図外の止めネジ等により固定することにより、役物構造体３０が遊技盤１１の前面に配設される。また、筒状部３６Ａには、前記同様に後方に開口するセンサー挿入孔４８が設けられる。
【００４６】
前後通路部３６内には、前述のガイド片５０と同一構成の振り分け体５０Ａが取り付けられる。なお、振り分け体５０Ａの保持構造については、前述の裏ベース体４０Ｃ及びソレノイドブラケット４０Ｄと同一構成であるので、同一符号を用い、その説明を省略する。
振り分け体５０Ａの取り込み端部６６は、図６（ｂ）に示す振り分けソレノイド３９が非通電の状態から図６（ａ）に示す通電状態へと切り替わると、振り分けソレノイド３９のプランジャ３９Ａの伸長に伴って前後通路部３６の開口部３６Ｂよりも前側に突出した状態となる。一方、再び振り分けソレノイド３９が非通電状態へと切り替わると前後通路部３６内に格納された状態となる。なお、振り分け体５０Ａと振り分けソレノイド３９とは、クランク５５の軸部５６と係合するプランジャ３９Ａにより接続されている。
【００４７】
振り分け体５０Ａが前後通路部３６の開口部３６Ｂよりも前側に突出したタイミングで共通通路部３５を落下する球は、振り分け体５０Ａにより取り込まれ、前後通路部３６を経て特定通路部３７へ誘導される。つまり、振り分け体５０Ａは、前後通路部３６の開口部３６Ｂよりも前側に突出した状態において球を特定通路部３７へ振り分ける。
【００４８】
特定通路部３７は、前後通路部３６の後端を基点として下方に延長する通路であって、遊技盤１１の裏面と裏ベース体４０Ｃのセンサー保持部７７との間に形成される。特定通路部３７は、センサー挿入孔４８及びセンサー保持部７７により保持される特定領域（大当り領域）としての検出センサーを有し、当該検出センサーにより特定通路部３７を落下する球が検出されると、主制御装置１００は前述と同様の大当り遊技を開始する。
即ち、特定通路部３７は、大当り遊技獲得の契機となる特定領域を有する通路であり、振り分け体５０Ａの動作によって共通通路部３５を落下する球が当該特定通路部３７方向へ振り分けられると大当り遊技が実行される。
なお、特定通路部３７の検出センサーにより検出された球は、特定通路部３７と連通するセット板８０の球通路８０Ｂにより誘導され、機外に排出される。
【００４９】
一方、振り分け体５０Ａが前後通路部３６内に格納されたタイミングで共通通路部３５を落下する球は、振り分け体５０Ａにより取り込まれることなく、共通通路部３５と連通する外れ通路部３８へそのまま流下する。つまり、振り分け体５０Ａは、前後通路部３６内に格納された状態において、球を外れ通路部３８へ振り分ける。
【００５０】
図５にも示すように、外れ通路部３８は、前後通路部３６の開口部３６Ｂを基点として左方に傾斜しつつ延長する通路であって、通路の最下流部に排出孔３８Ａが開設される。
このように、外れ通路部３８が左方に傾斜する通路として構成されたことにより、外れ通路部３８を流下する球の勢いを抑制することができ、球を排出孔３８Ａにスムーズに取り込ませることができる。つまり、外れ通路部３８は球の勢いを抑制する減速機構としても機能する。なお、本例においては、外れ通路部３８を左方に傾斜するものとして構成したが、これに限られるものではなく、右方に傾斜する通路としてもよい。
排出孔３８Ａは、外れ通路部３８の最下流部に到達した球を回収する孔であって、当該排出孔３８Ａに取り込まれた球は、図６の破線部で示された誘導通路３８Ｂにより遊技盤１１の裏側へ誘導され、セット板８０の球通路８０Ｃにより機外に排出される。
即ち、振り分け体５０Ａにより、球が外れ通路部３８に振り分けられた場合には、大当り遊技を獲得することはできず、当該外れ通路部３８に振り分けられた球は外れ球として回収されることとなる。
【００５１】
以上のとおり、本実施例における役物構造体３０は、通路本体部３０Ｂが特定通路部３７と外れ通路部３８との２つの球通路を有し、当該特定通路部３７及び外れ通路部３８が、互いに遊技盤１１を挟んで前後方向に分かれて並設されている。そして、振り分け体５０Ａは、共通通路部３５内に進入した球を前後動作により特定通路部３７又は外れ通路部３８へ振り分け、球が特定通路部３７に振り分けられた場合には、特定通路部３７における球の落下経路内に設けられた特定領域としての検出センサーにより検出され、主制御装置１００は、当該検出センサーからの検出信号に基づいて大当り遊技を開始する構成である。なお、共通通路部３５内に進入した球が、特定領域が設けられた特定通路部３７側に振り分けられる確率は例えば１０分の１以下に設定されており、当該確率を満たすように振り分け体５０Ａを前後動作させる振り分けソレノイド３９が制御される。
なお、本例においては、特定領域を遊技盤１１の裏側に形成された特定通路部３７内に設ける構成としたが、これに限られるものではなく、特定領域を実施形態における外れ通路部３８側へ設ける構成としてもよい。そしてこの場合には、外れ通路部３８側に振り分けられる確率が例えば１０分の１以下となるように振り分けソレノイド３９を制御すればよい。
【００５２】
また、球が特定通路部３７に内挿された検出センサーに検出されることにより開始される大当り遊技後に、遊技状態が再び特典としての「時短遊技」となる確率は、例えば５分の４程度に設定されており、一度遊技状態が「通常遊技」から「時短遊技」となった場合には、以降も高い確率で「時短遊技」が継続することとなる。
そして、前述のとおり、「時短遊技」中においては、サイド始動入賞部品４０へ取り込まれる確率（入賞率）が「通常遊技」と比較して極めて高くなり、結果として役物構造体３０への入賞率が極めて高くなることから「時短遊技」中においては「通常遊技」よりも大当りを獲得し易い。
つまり、本実施形態に係るパチンコ機１０は、遊技盤１１の中央部に設けられた中央始動入賞部品２９への球の入賞に基づいて実行される抽選の結果により、大当り遊技後の遊技状態を「通常遊技」から「時短遊技」へと切り替えるパチンコ機であって、当該「時短遊技」においては、球を遊技盤１１の側方に配設された役物構造体３０側へ打ち出す方が中央始動入賞部品２９側へ打ち出すよりも大当り遊技を獲得する確率が高くなるパチンコ機１０である。
【００５３】
そして、特定領域を有する役物構造体３０を上記構成としたことにより、振り分け体５０Ａによる球の振り分け方向を遊技盤１１の前後方向とすることが可能となり、役物構造体３０の左右方向の幅を縮小化することが可能となる。また、遊技盤１１の上下方向に沿って延長する通路本体部３０Ｂ内に共通通路部３５、振り分け体５０Ａ、特定通路部３７、外れ通路部３８が集約されて形成されていることから、ゴト行為対策に必要な検証工数及びゴト行為対策に必要な振動センサー等の対応部品を大幅に削減することが可能となる。
【００５４】
以上、本発明を実施の形態に基いてを説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００５５】
１０  パチンコ機，１１  遊技盤，１１Ａ  遊技領域，２１  一般入賞部品，
２５  大入賞部品，２９  中央始動入賞部品，３０  役物構造体，
３０Ｂ  通路本体部， ３１  入賞口，３５  共通通路部，３６  前後通路部，
３７  特定通路部，４０  サイド始動入賞部品，４２  球取り込み口，
５０Ａ  振り分け体，５８  取り込み阻止片，６０  羽根部材
【図１】
0005894360.tif 000002
【図２】
0005894360.tif 000003
【図３】
0005894360.tif 000004
【図４】
0005894360.tif 000005
【図５】
0005894360.tif 000006
【図６】
0005894360.tif 000007
【図７】
0005894360.tif 000008